(57)【要約】      （修正有）【課題】少ない水量で所定の洗浄性能を維持する。【解決手段】内部に洗浄槽２を有する本体と、前記洗浄槽２内に設けられるとともに洗浄水を被洗浄物に噴射する洗浄手段１３と、前記洗浄手段１３と前記洗浄槽２の内底部に設けられる貯水部９とを連結する循環経路と、前記循環経路内に設けられる洗浄ポンプと、を備え、前記貯水部９に向かって下方に傾斜する第１の傾斜部２９及び第２の傾斜部３０が前記洗浄槽２の内底部１４に形成され、前記第１の傾斜部２９上方には洗浄水を加熱する加熱手段を設け、前記第１の傾斜部２９と第２の傾斜部３０との間に隣接して設けられる水流遮断部を設けたことにより、貯水部内での渦の発生を抑制し、安定的に洗浄性能を得る食器洗い機を提供できる。【選択図】図３
2011143087.tif 000002
【特許請求の範囲】
【請求項１】
内部に洗浄槽を有する本体と、前記洗浄槽内に設けられるとともに洗浄水を被洗浄物に噴射する洗浄手段と、前記洗浄手段と前記洗浄槽の内底部に設けられる貯水部とを連結する循環経路と、前記循環経路内に設けられる洗浄ポンプと、を備え、前記貯水部に向かって下方に傾斜する第１の傾斜部と、前記第１の傾斜部に向かって下方に傾斜する第２の傾斜部と、が前記洗浄槽の内底部に形成され、前記第１の傾斜部上方には洗浄水を加熱する加熱手段を設け、前記第１の傾斜部と第２の傾斜部との間に隣接して設けられる水流遮断部を設けた食器洗い機。
【請求項２】
前記水流遮断部は第１の傾斜部より下方に位置する溝形状に構成した請求項１に記載の食器洗い機。
【請求項３】
前記水流遮断部は前記貯水部方向に傾斜させた請求項１もしくは２に記載の食器洗い機。
【請求項４】
前記第２の傾斜部は、第１の傾斜部以上の高さに形成される請求項１〜３のいずれか１項に記載の食器洗い機。
【請求項５】
前記流水遮断部は断面が略四角形になるように構成した請求項１〜４のいずれか１項に記載の食器洗い機。
【請求項６】
前記流水遮断部は断面が略半円状になるように構成した請求項１〜４のいずれか１項に記載の食器洗い機。
【請求項７】
前記流水遮断部は前記第１の傾斜部より大きい傾斜角度で貯水部方向に傾斜するよう構成した請求項１〜６のいずれか１項に記載の食器洗い機。
【請求項８】
前記流水遮断部は前記第１の傾斜部に隣接して複数設けられる請求項１〜７のいずれか１項に記載の食器洗い機。
【発明の詳細な説明】
【技術分野】
【０００１】
本発明は、食器の洗浄を行う食器洗い機に関するものである。
【背景技術】
【０００２】
従来、食器の洗浄を行う食器洗い機の洗浄槽は、図１４に示すように、洗浄槽内の底面コーナー部付近に貯水部１０１および貯水部１０１に隣接して貯水部１０１方向に傾斜させた第１の傾斜部１０２を有している。また、第１の傾斜部１０２に隣接して第２の傾斜部１０３を設け、第２の傾斜部１０３は第１の傾斜部１０２に向け傾斜している。傾斜方向（水流の方向）は矢印で表してある。洗浄水を加熱するヒータを有する加熱部１０４は第１の傾斜部１０２上部に設けている。
貯水部１０１に貯水した洗浄水は、洗浄ポンプにより加圧され、洗浄ノズル１０５から噴射される。噴射された洗浄水の内、第２の傾斜部１０３に落下した洗浄水の大半は、一旦加熱部に貯水した後に第１の傾斜部１０２を介して貯水部１０１に流れ込む。また、第２の傾斜部１０３に落下した残りの洗浄水は直接貯水部１０１に流れ込む。そしてそれぞれ流れ込んだ洗浄水は貯水部から、洗浄ポンプに移動し、加圧されて再び洗浄ノズル１０５から噴射される（例えば特許文献１）。
【先行技術文献】
【特許文献】
【０００３】
【特許文献１】特許第３７３２２０１号公報
【発明の概要】
【発明が解決しようとする課題】
【０００４】
しかしながら、上記特許文献１の食器洗い機は、図１５の矢印に示すように、洗浄ノズル１０５から噴出した洗浄水が集まる貯水部１０１は、流量差のある水流が異なる方向から流れ込んでくるために、図１６のように渦１０１ａが発生しやすい構成となっていた。渦１０１ａの発生により洗浄ポンプは洗浄水とともに空気を吸い込んでしまうと、所定の加圧性能が得られなくなる。そのため、従来は必要以上の洗浄水を給水することで渦１０１ａの発生を抑え、所定の洗浄性能を確保していたので使用水量が多くなるという課題があった。
【０００５】
本発明は、上記従来の課題を解決するもので、貯水部内での渦の発生を抑制し、所定の洗浄性能を得る食器洗い機を提供することを目的としている。
【課題を解決するための手段】
【０００６】
内部に洗浄槽を有する本体と、前記洗浄槽内に設けられるとともに洗浄水を被洗浄物に噴射する洗浄手段と、前記洗浄手段と前記洗浄槽の内底部に設けられる貯水部とを連結する循環経路と、前記循環経路内に設けられる洗浄ポンプと、を備え、前記貯水部に向かって下方に傾斜する第１の傾斜部と、前記第１の傾斜部に向かって下方に傾斜する第２の傾斜部と、が前記洗浄槽の内底部に形成され、前記第１の傾斜部上方には洗浄水を加熱する加熱手段を設け、前記第１の傾斜部上方には洗浄水を加熱する加熱手段を設け、前記第１の傾斜部と第２の傾斜部との間に隣接して設けられる水流遮断部を設けたものである。
【０００７】
この構成により、第１の傾斜部から貯水部に流れる水量を削減し、第２および水流遮断部から貯水部に流れる洗浄水との流量差を低減した状態で水流を衝突させるため、渦の発生を抑制することができる。よって、従来必要であった渦防止用の洗浄水量を削減できる。
【発明の効果】
【０００８】
本発明の食器洗い機は、洗浄槽の底面を流れる洗浄水を衝突させ洗浄槽内の貯水部での渦の発生を抑制し、より少ない水量で所定の洗浄性能を得る食器洗い機を提供できる。
【図面の簡単な説明】
【０００９】
【図１】本発明の実施の形態１の食器洗い機の側面図
【図２】同食器洗い機の断面図
【図３】同食器洗い機の洗浄槽の傾斜方向を表す平面図
【図４】同食器洗い機の洗浄槽のＸ−Ｘ´断面図
【図５】同食器洗い機の洗浄槽のＹ−Ｙ´断面図
【図６】同食器洗い機の洗浄槽の流れ方向を表す平面図
【図７】同食器洗い機の加熱部の近傍の洗浄水の流れの方向を表す断面図
【図８】同食器洗い機の貯水部近傍の平面図
【図９】同食器洗い機の別の例の断面図
【図１０】同食器洗い機の別の例の断面図
【図１１】本発明の実施の形態２の食器洗い機の平面図
【図１２】同食器洗い機の貯水部近傍の平面図
【図１３】同食器洗い機の断面図
【図１４】従来の食器洗い機の平面図
【図１５】従来の食器洗い機の洗浄水の流れの方向を示す平面図
【図１６】従来の食器洗い機の貯水部近傍の断面図
【発明を実施するための形態】
【００１０】
第１の発明は、内部に洗浄槽を有する本体と、前記洗浄槽内に設けられるとともに洗浄水を被洗浄物に噴射する洗浄手段と、前記洗浄手段と前記洗浄槽の内底部に設けられる貯水部とを連結する循環経路と、前記循環経路内に設けられる洗浄ポンプと、を備え、前記貯水部に向かって下方に傾斜する第１の傾斜部と、前記第１の傾斜部に向かって下方に傾斜する第２の傾斜部と、が前記洗浄槽の内底部に形成され、前記第１の傾斜部上方には洗浄水を加熱する加熱手段を設け、前記第１の傾斜部と第２の傾斜部との間に隣接して設けられる水流遮断部を設けたものである。
【００１１】
この構成により、第２の傾斜部から第１の傾斜部に流れる洗浄水の一部を遮断し貯水部に流すことで、第１の傾斜部から貯水部に流れる水量が削減され、第２の傾斜部および水流遮断部から貯水部に流れる洗浄水との流量差を低減した状態で水流を衝突させるため、渦の発生を抑制することができる。よって、従来必要であった渦防止用の洗浄水量の削減によって、より少ない水量で所定の洗浄性能を得ることができる。
【００１２】
第２の発明は、第１の発明において、水流遮断部を第１の傾斜部より下方に位置する溝形状に構成するとともに、水流遮断部を凹形状の水路とすることで、より多くの洗浄水が水流遮断部に流れ込んでも溢れて第１の傾斜部に流れ込むことを防ぐことができる。
【００１３】
第３の発明は、第１もしくは第２の発明において、水流遮断部は前記貯水部方向に傾斜したことにより、水流遮断部に流入した洗浄水を素早く貯水部に流すことができる。そのため、洗浄水はより早い時間で貯水部に回収されるため、より少ない洗浄水量で所定の洗浄性能を得ることができる。
【００１４】
第４の発明は、第１〜第３の発明において、第２の傾斜部は、第１の傾斜部以上の高さに形成したことで、少ない洗浄水量でも確実に加熱手段を水没させ、洗浄水の加熱効率を向上させることができる。
【００１５】
第５の発明は、第１〜第４の発明において、水流遮断部は断面が略四角形になるように構成したことにより、水流遮断部の断面積を大きくすることで、より多くの洗浄水を水流遮断部に流すことができる。そのため、洗浄水が水流遮断部から溢れ、第１の傾斜部（ヒータ部）に流れることを防ぎ、洗浄水を安定して貯水部に素早く戻すことで、より少ない洗浄水量で所定の洗浄性能を得ることができる。
【００１６】
第６の発明は、第１〜第４の発明において、水流遮断部は断面が略半円状になるように構成したことにより、被洗浄物から剥離した残さいや油分が、水流遮断部のコーナー部に残り蓄積することを防ぐことで、使用者のお手入れ（例えば拭き掃除など）の手間を削減し、より使い勝手のよい食器洗い機を提供することができる。
【００１７】
第７の発明は、第１〜第６の発明において、水流遮断部は前記第１の傾斜部の傾斜角度より大きい傾斜角度で貯水部方向に傾斜するよう構成したことにより、下流（貯水部方向）にいくに従って水流遮断部と第１の傾斜部と高低差が大きくなる。下流にいくに従い水流遮断部に流入してくる洗浄水が増加するため、水流遮断部を流れる流量が増加するが、高低差を増すことで、溢れて第１の傾斜部（ヒータ部）に流れることを防ぎ、洗浄水を貯水部により安定して素早く水を戻すことができる。そのため、より少ない洗浄水量で所定の洗浄性能を得ることができる。
【００１８】
第８の発明は、第１〜第７の発明において、水流遮断部は前記第１の傾斜部に隣接して複数設けたことにより、第２の傾斜部以外（例えば洗浄槽壁面など）から第１の傾斜部に流入する洗浄水を水流遮断部によって遮断し、第１の傾斜部を通過せずに素早く貯水部に戻すことができる。そのため、より少ない洗浄水量で所定の洗浄性能を得ることができる。
【００１９】
以下、本発明の実施の形態について、図面を参照しながら説明する。なお、本実施の形態によって本発明が限定されるものではない。
【００２０】
（実施の形態１）
図１および図２に示すように、前方に開口部を有する本体１（固定側箱状体）において、その内側に上方に開口する洗浄槽２（可動側箱状体）が収納されている。また、洗浄槽２は、本体１の両内側面に取り付けられた両固定レール３と、両固定レール３にそれぞれ滑動自在に装着された両可動レール４とから構成されるスライドレール５により前後方向に摺動可能に構成されており、本体１の前方開口部から引き出すことができる。
【００２１】
スライドレール５は、図１に示すように、洗浄槽２の外壁の略下部に配置されるものである。
【００２２】
また、スライドレール５には、洗浄槽２や洗浄槽２内に配置される食器６などや、洗浄行程で供給される洗浄水等の荷重が加わるので、鉄やＳＵＳ等の金属部品で形成されるものである。ここで、洗浄水とは、食器６の洗浄やすすぎに用いられる液体を総称して言う。
【００２３】
本体１は、キッチンキャビネットＡ内にビルトインするのが基本的な設置形態であるが、本体１を設置場所の台上に固定して使用することも可能である。
洗浄槽２は、内部に食器６を配置する食器カゴ７が収納される。また、洗浄槽２の内底面には、給水された洗浄水を洗浄ポンプに導く貯水部９と、洗浄水を加熱するヒータ８（加熱手段）を有する加熱部を設けている。
【００２４】
貯水部９の上部には、多数の開口部を設けられた金属製の残さいフィルタ１０を設置しており、洗浄水中に含まれる食材等の残さいを捕集する。
【００２５】
食器カゴ７の一部は回動式になっており、残菜フィルタ１０は食器カゴ７全体を取り出すことなく取り出すことができる。１１は、残さいフィルタ１０の下方に設けた樹脂製の排水フィルタで、使用者が残さいフィルタ１０をセットし忘れた際でも洗浄ポンプ１２などに大きい残さいが進入しないように設けている。
【００２６】
複数の噴射孔１９を有する洗浄ノズル１３は、洗浄槽内底面１４の略中央部に回転自在に設けられ、洗浄ポンプ１２により加圧された洗浄水を食器に向けて噴出するものである。
【００２７】
２０は、洗浄槽２内に洗浄水を供給する給水弁である。洗浄槽２に給水された洗浄水は、排水手段２１により機外に排水されるものである。
【００２８】
送風手段２２は、洗浄槽２の外壁に設けられている。乾燥行程では、送風手段２２の動作によって外気が洗浄槽２内に入り、加熱手段で加熱しながら食器６を乾燥させたのちに排気口２３より排気される。
【００２９】
温度検知手段２４は、洗浄槽２の下面外壁に配置され、洗浄槽２内の洗浄水、空気および加熱手段８の温度を、洗浄槽２の下面を介して間接的に検知するものである。
【００３０】
制御装置２６は、洗浄槽２内に洗浄水を供給する給水弁２０や、温度検知手段２４の出力に基づいて加熱手段８を制御する。また、洗浄手段１３、給水弁２０、排水手段１３、送風手段２２等を制御して、洗浄、すすぎ、乾燥の一連の行程を逐次制御するよう構成している。
【００３１】
中フタ２７は、周囲にパッキン２８が設けられていて、リンク機構（図示せず）を介し食器洗浄機本体１の上部に配置されている。中フタ２７は、洗浄槽２が食器洗浄機本体１の所定の位置に収納される動きと連動して下方に移動し、洗浄槽２の上方の開口部を水密に塞ぐものである。
【００３２】
上記構成において動作を説明すると、使用者が食器洗浄機本体１から洗浄槽２を引き出し、食器カゴ７に食器６などの被洗浄物を配置し、洗浄槽２に収納する。そして、洗剤を入れた後、洗浄槽２を食器洗浄機本体１内に収納する。そして、運転を開始すると排水手段２１が動作して、前回の運転等で洗浄槽２内に残っている洗浄水（「残水」という）を食器洗浄機本体１外へ排出する。
【００３３】
次に、給水弁２０が開放して、水位検知手段（図示せず）が水位を検知するまで、所定量の洗浄水を洗浄槽２に供給する。
【００３４】
所定量の洗浄水が供給されると、制御装置２６が洗浄ポンプ１２を駆動させて洗浄水を加圧し、洗剤を溶解させた洗浄水を洗浄ノズル１３に設けた噴射孔１９から噴射させる。こうして、食器６などを洗浄する洗浄行程が行われる。この洗浄行程では洗浄槽２内に設けた加熱手段８に通電して、洗浄水を洗浄所定温度（例えば６０℃）まで加熱し、油汚れなどの落ち難い汚れも洗浄しやすくする。
【００３５】
洗浄行程が所定時間行われると、排水手段２１が食器６から洗い落とされた汚れを含む洗浄水を食器洗浄機本体１外へ排出する。そして、給水弁２０を開放することで水道管から洗浄槽２内に新たに給水が行われ、洗浄ポンプ１２を駆動させて、洗浄ノズル１３に設
けた噴射孔１９から再び洗浄水を噴射し、洗剤や残さい等で汚れた食器６をすすぐ行程を実行する。
【００３６】
このすすぎ行程が終わると、洗浄水を再び食器洗浄機本体１外へ排出する。このすすぎ行程は連続して数回繰り返される。洗浄およびすすぎ行程では、残さいは洗浄槽２に設けた残さいフィルタ１０内に捕集される。
【００３７】
所定回数のすすぎ行程が終了すると乾燥行程が開始する。この行程では、送風手段２２が動作して食器洗浄機本体１外の空気が洗浄槽２内へ送り込まれる。送り込まれた空気は加熱手段８により加熱された後、食器６を乾燥させて、洗浄槽２の前面に形成される排気口２３より食器洗浄機本体１外へ排出される。乾燥行程終了後、運転を終了する。
【００３８】
なお、複数回行われるすすぎ行程のうち、少なくとも１回は洗浄水を加熱手段８により加熱しながら食器３をすすぐ加熱すすぎ行程であってもよい（このとき洗浄水は例えば約７０℃まで加熱されるものであってもよい）。
【００３９】
このように構成された本実施の形態において、洗浄槽２の内底部について詳述する。
【００４０】
図３、図４および図５に示すように、洗浄槽内底面１４のコーナー最下部に貯水部９が設けられている。
【００４１】
また、洗浄槽内底面１４には、第１、第２及び第３の傾斜部２９、３０、３１が形成され、水流遮断部３２が設けられている。
【００４２】
図３および図４に示すように第１の傾斜部２９は、ヒータ８（加熱手段）を上面に備え、洗浄槽内底面１４の手前右側に、洗浄槽２の奥行き方向を長手方向とする略矩形に形成されている。また、第１の傾斜部２９は貯水部９に向かって１度から２度の角度で下方に傾斜している。
【００４３】
図３および図５に示すように、第２の傾斜部３０は、洗浄槽内底面１４の左側に形成されるとともに第１の傾斜部２９より高い位置に形成され、第１の傾斜部２９および貯水部９に隣接している。第２の傾斜部３０は、平面視して、洗浄ノズル１３が回転した場合の略回転軌跡Ｂに沿って略半円状に形成されている。（この時、ノズルの軌跡外に例えば５ｍｍほど離れた軌跡に沿っている略半円状のものでもよい）。第２の傾斜部３０は第１の傾斜部２９に向かって下方に傾斜する略平面で構成されてある。
【００４４】
また、図３に示すように第３の傾斜部３１は、洗浄槽内底面１４の奥左側および前左側のコーナー部に形成している。
【００４５】
図３および図５に示すように、水流遮断部３２は、第１の傾斜部２９と第２の傾斜部３０との間に隣接するように形成され、第１の傾斜部２９および第２の傾斜部３０より低い位置に形成されている。水流遮断部３２は洗浄槽２の内壁手前側と貯水部９との間を起点Ｊ１とし貯水部９まで断面が略四角形状の連続した凹部に形成されてあり、貯水部９方向に第１の傾斜部２９の傾斜角度以下の傾斜角度で傾斜している。
【００４６】
また、洗浄槽内底面１４には、食器カゴ７を設置する複数のカゴ設置部３３とから構成されてある。
【００４７】
図４に示すように、第１の傾斜部２９の上面にはステンレスなど金属からなるヒータ板８ａが設けられ、加熱手段８はヒータ板８ａ上部の洗浄槽２側面に取り付けられてある。
加熱手段８の上面および側面には、加熱手段８を囲むようにステンレスなどの金属部品から構成されるパンチングなどにより上面および側面に開口部が設けられたヒータカバー８ｂが備え付けてある。
【００４８】
第１の傾斜部２９の幅Ｅ１よりも貯水部９の幅Ｅ２の方が大きく、貯水部９の奥行方向の左側面に設けられた吸込み口１８は水流遮断部３２の中央より図面上で左側（洗浄槽中央側）にある。また、吸込み口１８は貯水部９の側面底部近傍に設けられている。
【００４９】
また、図５に示すように、第２の傾斜部３０は、貯水部９方向に第１の傾斜部２９の傾斜角度より大きい角度Ｃで下方に傾斜している。第３の傾斜部３１は、第２の傾斜部３０に向かって第２の傾斜部３０の傾斜角度Ｃより大きな角度Ｄで下方に傾斜している。
【００５０】
また、図６に示すように、水流遮断部３２の起点Ｊ１を基点とし第２の傾斜部３０の傾斜方向と平行な半直線Ｌ１および第１の傾斜部２９と水流遮断部３２と貯水部との接点Ｊ２を基点とし第２の傾斜部３０の傾斜方向と平行な半直線Ｌ２によって第２および第３の傾斜部３０、３１は分割される。このうち第１の傾斜部２９と隣接する側の傾斜部を加熱部側第２の傾斜部３０１、貯水部９と隣接する側の傾斜部を貯水部側第２の傾斜部３０２、水流遮断部３２と隣接する側の傾斜部を遮断部側第２の傾斜部３０３とする。
【００５１】
平面視で第１の傾斜部２９の面積２９Ａと加熱部側第２の傾斜部３０１の面積３０１Ａとの合計は、貯水部側第２の傾斜部３０２の面積３０２Ａと遮断部側第２の傾斜部３０３の面積３０３Ａとの合計とほぼ同等の面積になるように各傾斜部および水流遮断部３２は構成される。
【００５２】
以下に洗浄中の洗浄水の流れを説明する。洗浄ポンプ１２から圧送された洗浄水は、吐出経路１７を通り洗浄ノズル１３の複数の噴射孔１９から噴射される。洗浄ノズル１３は噴射応力によって回転しながら洗浄水を噴射する。複数の噴射孔１９から噴射された洗浄水は、食器６や食器カゴ７、洗浄槽２の内壁、中フタ２７に衝突し洗浄槽内底面１４にほぼ一様に落下する。落下した洗浄水は洗浄槽内底面１４の傾斜に沿って貯水部９方向に流れこみ、残さいフィルタ１０、排水フィルタ１１を通り、貯水部９内の吸込み口１８から吸込まれ、吸込み経路１６を通り、洗浄ポンプ１２で再び圧送される。
【００５３】
噴射孔１９から噴射され、洗浄槽内底面１４にほぼ一様に落下する洗浄水の詳細な流れを説明すると、噴射孔１９から噴射され、第１の傾斜部２９上方の食器類６および中フタ２７や第１の傾斜部２９と隣接する洗浄槽２の側面に衝突した洗浄水は第１の傾斜部２９に主に落下する。第２の傾斜部３０上方の食器類６および中フタ２７や第２の傾斜部３０と隣接する洗浄槽２側面に衝突した洗浄水は主に第２の傾斜部３０に落下する。第３の傾斜部３１上方の食器類６および中フタ２７や第３の傾斜部３１と隣接する洗浄槽２側面に衝突した洗浄水は主に第３の傾斜部３１に落下する。
【００５４】
洗浄槽の内底面１４に落下し洗浄ポンプ１２へ送られる洗浄水の流れを詳細に説明する。
【００５５】
図６および図７で示すように第１の傾斜部２９に落下する洗浄水は、ヒータカバー８ｂの上面や側面の開口部を通過し、ヒータ８近傍を流れ、ヒータ８と熱交換し加熱され、ヒータカバー８ｂの貯水部９側端部８ｃの開口部から流れ出て、第１の水流２９ａを形成し貯水部９へ流れ込む。
【００５６】
図６で示すように、第２の傾斜部３０のうち加熱部側第２の傾斜部３０１に流れ込んだ洗浄水は、加熱部８方向に流れ、一旦第１の傾斜部に貯水され、加熱部８と熱交換し加熱
され、貯水部９に流れ込む。第２の傾斜部３０のうち遮断部側第２の傾斜部３０３に流れ込んだ洗浄水は、加熱部８方向に流れるが、遮断部３２に流れ込み、第４の水流３２ｂを形成し、貯水部９に流れ込む。また、第２の傾斜部３０のうち貯水部側第２の傾斜部３０２に流れ込んだ洗浄水は、貯水部９方向に流れ、第２の水流３０ｂを形成し、直接貯水部９に流れ込む。第３の傾斜部３１に流れ込んだ洗浄水は第３の流れ３１ｂを形成する。
【００５７】
ここで第１の水流２９ｂとは、第１の傾斜部２９から貯水部９に流れ込む水流を、第２の水流３０ｂとは、第２の傾斜部３０のうち貯水部側の傾斜部３０２上に流れ込んだ後に第２の傾斜部３０の最下点近傍から貯水部９に流れこむ水流を、第４の水流３２ｂは水流遮断部３２から貯水部９に流れ込む水流を指す。
【００５８】
図６で示すように、第１の傾斜部２９の面積２９Ａと加熱部側第２の傾斜部３０１の面積３０１Ａとの合計が、貯水部側第２の傾斜部３０２の面積３０２Ａと遮断部側第２の傾斜部３０３との合計とほぼ同程度になるよう洗浄槽内底面１４を構成するため、第１の水流２９ｂの流量は、第２の水流３０ｂと第４の水流３２ｂとの合計の流量とほぼ同程度になる。貯水部９内で異なった方向に流れるほぼ同流量の水流２９ｂと３０ｂおよび３２ｂとが衝突し、渦を発生させないようにして吸込み口１８から洗浄ポンプ１２へ流入する。
【００５９】
また、図８の貯水部９近傍の拡大図に示すように、第１の水流２９ｂは、貯水部９に洗浄槽２壁面側から吸込み口１８方向に流れ込むため、貯水部９に平面視で中央部から見て反時計回りに流れ込む。第２の水流３０ｂは、第２の傾斜部３０の傾斜方向に沿って、洗浄槽２奥壁面側から貯水部９内に流れ込むため、貯水部９に平面視で中央部から見て時計回りに流れ込む。第４の水流３２ｂは、貯水部側第２の傾斜部３０２から流れ込んだ水流によって、貯水部９で第１の傾斜部２９側に流れ、平面視で中央部から見て時計回りに流れ込む。
【００６０】
この場合、第１、第２および第４の水流２９ｂ、３０ｂ、３２ｂは、お互いが衝突することで、貯水部９内での渦を発生が抑制され、吸込み口１８から洗浄ポンプ１２へ流入するため、安定して所定の洗浄性能を得ることができる。
【００６１】
なお、第２の傾斜部３０と第３の傾斜部３１との境界は滑らかな面で繋がっていることが望ましい。この場合、第３の水流３１ａが滑らかに第２の傾斜部３０に流れこむことができるため、より貯水部９への洗浄水の戻りを早くすることができる。
【００６２】
なお、カゴ設置部３３は第２の傾斜部３０に向かって傾斜していることが望ましい。この場合は、カゴ設置部３３上に流れ込んだ洗浄水が素早く第２の傾斜部３０に流れることができるため、より貯水部９への洗浄水の戻りを早くすることができる。
【００６３】
なお、本実施例では、第２の傾斜部３０に落下する洗浄水の大半を直接貯水部９に流し込むため、従来のものより、加熱部８に流れ込む洗浄水量は減少するが、洗浄ノズル１３から噴射され食器６などに衝突し落下した洗浄水の一部が加熱部８と接触し、熱交換が行われるため、洗浄水の加熱は維持される。
なお、本実施例では第１の傾斜部２９を第２の傾斜部３０以下の高さに設けてあるが、これにより、第１の傾斜部２９が第２の傾斜部３０以上の高さに設けられている場合より加熱手段８以下の洗浄槽２の内容積が削減される。これにより第１の傾斜部２９が第２の傾斜部３０以上の高さに設けられている場合には洗浄中に水没しない加熱手段８が、同じ水量でも確実に水没することになり、洗浄水の加熱効率を上昇させることができ、なお良い。
【００６４】
なお、図９に示すように、本実施例では水流遮断部３２の断面は略四角形形状で形成し
てあるが、半円状の断面形状で形成しても良い。この場合は、水流遮断部３２のコーナー部が無くなることで汚れが蓄積しにくくなり、使用者のお手入れの手間（例えば拭き掃除など）を減少させることができる。
【００６５】
なお、図１０に示すように水流遮断部３２の貯水部９方向への傾斜角度は、第１の傾斜２９の傾斜角度より大きい方が望ましい。起点Ｊ１から貯水部９方向に行くに従い水流遮断部３２を流れる洗浄水の流量は、洗浄水が第２の傾斜部３０から流れ込んでくるため徐々に増えるが、この場合、貯水部９方向に行くに従って第１の傾斜２９と水流遮断部３２との高低差が大きくなり（断面積が増加し）、水流遮断部３２を流れる洗浄水が溢れて第１の傾斜部２９方向に流れることを防ぐことができる。
【００６６】
（実施の形態２）
図１１は本発明の実施の形態２の食器洗い機の平面図、図１２はその貯水部近傍の平面図、図１３は実施の形態２の食器洗い機の水平方向の断面図である。本実施の形態において、実施の形態１と同様の部分については同一符号を附し、その詳細な説明は省略する。
【００６７】
図１１において、洗浄槽内底面１４には、第１、第２及び第３の傾斜部２９、３０、３１が形成され、水流遮断部３２が２箇所（第１の水流遮断部３４および第２の水流遮断部３５）設けられている。
【００６８】
図１１および図１３で示すように第１の水流遮断部３４は、第１の傾斜部２９と洗浄槽２の右側側面との間に、第２の傾斜部３５は第１の傾斜部２９と第２の傾斜部３０との間にそれぞれ隣接するように形成され、第１の傾斜部２９より低い高さに形成されている。第１の水流遮断部３４および第２の水流遮断部３５はそれぞれ洗浄槽２の手前側の内壁面と貯水部９との間を起点Ｊ３およびＪ４とし、貯水部９まで断面が略四角形状の連続した凹部に形成されてあり、貯水部９方向に第１の傾斜部２９の傾斜角度以下で傾斜している。
【００６９】
噴射孔１９から噴射され、洗浄槽内底面１４に落下する洗浄水の詳細な流れを説明すると、噴射孔１９から噴射され、第１の傾斜部２９上方の食器類６および中フタ２７に衝突した洗浄水は第１の傾斜部２９に主に落下する。第２の傾斜部３０上方の食器類６および中フタ２７や第２の傾斜部３０と隣接する洗浄槽２側面に衝突した洗浄水は主に第２の傾斜部３０に落下する。第３の傾斜部３１上方の食器類６および中フタ２７や第３の傾斜部３１と隣接する洗浄槽２側面に衝突した洗浄水は主に第３の傾斜部３１に落下する。第１の水流遮断部３４と隣接する洗浄槽２の側面に衝突した洗浄水は主に第１の水流遮断部３４に落下する。
【００７０】
第２の傾斜部３０のうち加熱部側第２の傾斜部３０１に流れ込んだ洗浄水は、加熱部８方向に流れ、一旦第１の傾斜部を介して貯水部９に流れ込む。第２の傾斜部３０のうち遮断部側第２の傾斜部３０３に流れ込んだ洗浄水は、加熱部８方向に流れるが、遮断部３２に流れ込み、第６の水流３２ｂを形成し、貯水部９に流れ込む。また、第２の傾斜部３０のうち貯水部側第２の傾斜部３０２に流れ込んだ洗浄水は、貯水部９方向に流れ、第２の水流３０ｂを形成し、直接貯水部９に流れ込む。第３の傾斜部３１に流れ込んだ洗浄水は第３の流れ３１ｂを形成する。
【００７１】
ここで第１の水流２９ａとは、第１の傾斜部２９の中央部の水流を、第２の水流３０ａとは、第２の傾斜部３０上に流れ込んだ後に第２の傾斜部３０の最下点近傍から貯水部９に流れこむ水流を、第５の水流３４ａは第１の水流遮断部３４から貯水部９へ流れ込む水流を、第６の水流３５ａは第２の水流遮断部３５から貯水部９へ流れ込む水流を指す。
さらに、図１４の貯水部９近傍の拡大図に示すように、貯水部９に流れ込む洗浄水は第１
の水流２９ａおよび第５の水流３４ａは、それぞれ第１の傾斜部２９もしくは第１の水流遮断部３４から吸込み口１８方向に流れ込むため、貯水部９に平面視で中央部から吸込み口方向に流れ込む。一方、第２の水流３０ａおよび第６の水流３５ａはそれぞれ、貯水部９内へ左側から流れ込む。そのため、第１、第２および第５、第６の水流２９ａ、３０ａ、３４ａ、３５ａは、図１４の貯水部９近傍の断面図に示すようにお互いが衝突して貯水部９内で渦を発生させないようにして、吸込み口１８から洗浄ポンプ１２へ流入する。
【産業上の利用可能性】
【００７２】
本発明の食器設置具は、少ない水量で所定の洗浄性能を得ることができるので、食器洗い機として有用である。
【符号の説明】
【００７３】
１  食器洗浄機本体
２  洗浄槽
６  被洗浄物（食器）
８  加熱手段
９  貯水部
１２  洗浄ポンプ
１３  洗浄手段（洗浄ノズル）
１４  洗浄槽内底面
２９  第１の傾斜部
３０  第２の傾斜部
３２  水流遮断部
【図１】
2011143087.tif 000003
【図２】
2011143087.tif 000004
【図３】
2011143087.tif 000005
【図４】
2011143087.tif 000006
【図５】
2011143087.tif 000007
【図６】
2011143087.tif 000008
【図７】
2011143087.tif 000009
【図８】
2011143087.tif 000010
【図９】
2011143087.tif 000011
【図１０】
2011143087.tif 000012
【図１１】
2011143087.tif 000013
【図１２】
2011143087.tif 000014
【図１３】
2011143087.tif 000015
【図１４】
2011143087.tif 000016
【図１５】
2011143087.tif 000017
【図１６】
2011143087.tif 000018